(57)【要約】【課題】開封時に必要な回転力を比較的小さく済ませることができると同時に、上蓋をオーバーキャップ内に良好に保持することができるキャップを提供する。【解決手段】中栓４と、上蓋５と、上蓋５に係合して一体的に回転可能なオーバーキャップ６と、を備え、中栓４が、中栓本体１０と、弱化部１１を介して中栓本体１０から離脱可能に設けられた離脱部１２とを有し、上蓋５に、上蓋５が回転された際に中栓４の離脱部１２に係合する上蓋側突条リブ３２が設けられている。上蓋５の側面部下端に径方向外側に広がるフランジ部４２が形成され、オーバーキャップ６に、上蓋５に被せる覆い部５１と、この覆い部５１から下方に延びて径方向に弾性変形可能な保持用足部５３とが設けられ、保持用足部５３の下端部に、上蓋のフランジ部４２に下方から係止する内側突出部５６が形成されている。【選択図】図１
2018193088.tif 000002
【特許請求の範囲】
【請求項１】
容器の口部に取り付けられる中栓と、回転して中栓に装着される上蓋と、この上蓋に被せられ、周方向に回転した際に上蓋に係合して一体的に回転可能なオーバーキャップと、を備え、中栓が、中栓本体と、弱化部を介して中栓本体から離脱可能に設けられた離脱部とを有し、上蓋に、上蓋が回転された際に中栓の離脱部に係合する回転係合部が設けられているキャップであって、
上蓋の側面部下端に径方向外側に広がるフランジ部が形成され、
オーバーキャップに、上蓋に被せる覆い部と、この覆い部から下方に延びて径方向に弾性変形可能な保持用足部とが設けられ、
保持用足部の下端部に、径方向内側に突出し、上蓋に対して下方に移動された際に径方向外側に変形してフランジ部を乗り越え可能で、フランジ部を乗り越えると上蓋のフランジ部に下方から係止する内側突出部が形成されていることを特徴とするキャップ。
【請求項２】
保持用足部は、オーバーキャップの覆い部から下方に延びるとともに、周方向適当間隔ごとに切欠部が設けられて径方向外側に広がり可能な状態で複数形成されていることを特徴とする請求項１に記載のキャップ。
【請求項３】
上蓋の側面部に、径方向外側に突出する外側凸条部が周方向に対して複数形成され、
オーバーキャップに、径方向内側に突出して上蓋に対して周方向に回転されると上蓋の外側凸条部に係合する内側凸条部が周方向に対して複数形成されていることを特徴とする請求項２に記載のキャップ。
【請求項４】
保持用足部は、オーバーキャップの覆い部から下方に延びる中筒部から下方に延びるように設けられ、中筒部における切欠部の上方箇所内面に内側凸条部が設けられていることを特徴とする請求項３に記載のキャップ。
【発明の詳細な説明】
【技術分野】
【０００１】
本発明は容器の口部に取り付けられるキャップに関する。
【背景技術】
【０００２】
従来、この種のキャップとして、容器の口部に取り付けられる中栓と、回転することにより中栓に着脱自在な上蓋とを備え、中栓に、周囲が破断可能な薄肉ラインで囲まれた除去領域を有しており、上蓋を中栓に装着して回転することにより、薄肉ラインを破断させて、除去領域を上蓋に嵌り込ませ、中栓に注出口を形成するものがある。このキャップによれば、未使用時には、容器の口部に取り付けられる中栓が密閉状態を維持できるので衛生的である。
【０００３】
しかし、上蓋と中栓とが、平面視した場合の大きさがあまり変わらず（例えば両方とも略円形（上蓋は略円筒形状）であり、その直径があまり変わらず）、除去領域を切断する切断寸法が比較的大きい場合には、上蓋を回転させて中栓の除去領域を離脱させる際に、比較的大きな力（大きなトルク）を上蓋に作用させなければならない。
【０００４】
この切断する際の力を軽減する方法としては、例えば、特許文献１に開示されているように、上蓋より大きな径のオーバーキャップを上蓋に被せることが考えられる。つまり、上蓋にオーバーキャップを被せた状態で、互いに径方向に一体的に回転できるような係止部を設け、開封時にオーバーキャップを回転して、内側の上蓋も一体的に回転させて、除去領域を切断するようにする。これにより、開封時におけるオーバーキャップを回転する力（トルク）を小さくて済ませることができ、作業性が良好となる。
【先行技術文献】
【特許文献】
【０００５】
【特許文献１】特開２０１２−１２６４０２公報
【発明の概要】
【発明が解決しようとする課題】
【０００６】
しかしながら、上記特許文献１に開示されたようなオーバーキャップを上蓋に被せる構成において、オーバーキャップと上蓋との互いに径方向に係止する摩擦力によって、上蓋はオーバーキャップ内に保持されているものの、場合によっては、オーバーキャップから上蓋が下方に脱落してしまうおそれがある。
【０００７】
本発明は上記課題を解決するもので、開封時に必要な回転力を比較的小さく済ませることができると同時に、上蓋をオーバーキャップ内に良好に保持することができるキャップを提供することを目的とするものである。
【課題を解決するための手段】
【０００８】
上記課題を解決するために、本発明は、容器の口部に取り付けられる中栓と、回転して中栓に装着される上蓋と、この上蓋に被せられ、周方向に回転した際に上蓋に係合して一体的に回転可能なオーバーキャップと、を備え、中栓が、中栓本体と、弱化部を介して中栓本体から離脱可能に設けられた離脱部とを有し、上蓋に、上蓋が回転された際に中栓の離脱部に係合する回転係合部が設けられているキャップであって、上蓋の側面部下端に径方向外側に広がるフランジ部が形成され、オーバーキャップに、上蓋に被せる覆い部と、この覆い部から下方に延びて径方向に弾性変形可能な保持用足部とが設けられ、保持用足部の下端部に、径方向内側に突出し、上蓋に対して下方に移動された際に径方向外側に変形してフランジ部を乗り越え可能で、フランジ部を乗り越えると上蓋のフランジ部に下方から係止する内側突出部が形成されていることを特徴とする。
【０００９】
この構成において、中栓に上蓋を取り付けた状態で、上蓋にオーバーキャップを被せる（上蓋に対してオーバーキャップを下方に移動させる）と、オーバーキャップの保持用足部に形成した内側突出部が上蓋のフランジ部を乗り越えて下方から係止できる。これにより、オーバーキャップにより上蓋を脱落しない状態で保持できる。そして、この状態で、オーバーキャップを回転させて上蓋も一体回転させることで、中栓の弱化部を切断させて離脱部を離脱させることができて、中栓に注出口を形成できる。この際、オーバーキャップを回転させるので、弱化部の切断時に必要な回転力を比較的小さく済ませることができる。
【００１０】
ここで、保持用足部は、オーバーキャップの覆い部から下方に延びるとともに、周方向適当間隔ごとに切欠部が設けられて径方向外側に広がり可能な状態で複数形成されていると好適であり、この構成によれば、オーバーキャップにより上蓋を脱落しない状態で良好に保持できる。
【００１１】
また、上蓋の外周面部に、径方向外側に突出する外側凸条部を周方向に対して複数形成し、オーバーキャップに、径方向内側に突出して上蓋に対して周方向に回転されると上蓋の外側凸条部に係合する内側凸条部を周方向に対して複数形成していると好適である。
【００１２】
また、保持用足部は、オーバーキャップの覆い部から下方に延びる中筒部から下方に延びるように設けられ、中筒部における切欠部の上方箇所内面に内側凸条部が設けられていると好適である。
【発明の効果】
【００１３】
本発明のキャップによれば、上蓋の下端部に径方向外側に広がるフランジ部を形成し、オーバーキャップに、上蓋に被せる覆い部と、この覆い部から下方に延びて径方向に弾性変形可能な保持用足部とを設け、保持用足部の下端部に、上蓋のフランジ部を下方から係止する内側突出部を形成することにより、弱化部の切断時に必要な回転力を比較的小さく済ませることができると同時に、オーバーキャップにより上蓋を脱落しない状態で保持でき、ひいてはキャップの信頼性を向上させることができる。
【図面の簡単な説明】
【００１４】
【図１】本発明の実施の形態に係るキャップの部分切欠正面図である。
【図２】同キャップの中栓の部分切欠正面図である。
【図３】同キャップの中栓の平面図である。
【図４】同キャップにおける中栓の離脱部の正面図である。
【図５】同キャップの上蓋の部分切欠正面図である。
【図６】同キャップの上蓋の平面図である。
【図７】同キャップの上蓋の下面図である。
【図８】同キャップにおけるオーバーキャップの部分切欠正面図である。
【図９】同キャップのオーバーキャップの下面図である。
【図１０】図９のＡ−Ａ線矢視拡大断面図である。
【図１１】同キャップにおける中栓に上蓋を被せる状態を示す部分切欠正面図である。
【図１２】同キャップにおける上蓋にオーバーキャップを被せる状態を示す部分切欠正面図である。
【図１３】同キャップにおけるオーバーキャップを一旦取り付けた後に回転させて、中栓から離脱部を離脱させて注出口を形成した状態を示す部分切欠正面図である。
【図１４】本発明の他の実施の形態に係るキャップの部分切欠正面図である。
【図１５】同キャップのオーバーキャップの斜め下方から見た斜視図である。
【図１６】本発明のその他の実施の形態に係るキャップの部分切欠正面図である。
【図１７】同キャップのオーバーキャップの斜め下方から見た斜視図である。
【図１８】本発明のさらに他の実施の形態に係るキャップの部分切欠正面図である。
【発明を実施するための形態】
【００１５】
以下、本発明に係る実施の形態のキャップを、図面に基づき説明する。
図１などにおいて、１は、内部に内容物（内容液）が収容されている容器２に取付けられるキャップである。キャップ１は、容器２の口部３に取り付けられる中栓４と、回転して中栓に装着される上蓋５と、この上蓋５に被せられ、周方向に回転した際に上蓋５に係合して一体的に回転可能なオーバーキャップ６と、を備えている。中栓４と上蓋５とオーバーキャップ６とはそれぞれ、例えば合成樹脂により射出成形されるなどして製造され、弾性変形可能な性質を有する。
【００１６】
図１〜図４などに示すように、中栓４は、中栓本体１０と、弱化部１１を介して中栓本体１０から離脱可能に設けられた離脱部１２とを有している。中栓本体１０は、中央（弱化部１１の外周）から上方に突出するノズル部１６と、その下部が容器２の口部３に外側から嵌り込む円筒状の外筒部１３と、外筒部１３の内周に隙間を有する状態で設けられてその下部が容器２の口部３に内側から嵌り込む円筒状の内筒部１４と、外筒部１３および内筒部１４のそれぞれ上端部箇所で径方向内側に延びて外筒部１３と内筒部１４などを繋ぐ上面部１５と、上面部１５の内周端より上方に段付き形状（筒形状）に突出するとともに内周側部分でノズル部１６の高さ方向略中央箇所に全周で接続されている段部１７などが形成されている。
【００１７】
また、外筒部１３の下方には、薄肉部１９Ａを介して下方に延びるとともに径方向外側および内周側にも突出する鍔状部１８が全周に形成され、容器２の使用後などに、鍔状部１８の１か所に形成された縦薄肉溝部１９Ｂおよび薄肉部１９Ａから鍔状部１８が切断されることで、容器２から中栓４などを外し易くなるよう図られている。さらに、中栓本体１０の段部１７の外周には、上蓋５に形成された後述するねじ部３１（図１、図５など参照）に螺合するねじ部２０が形成され、中栓本体１０の上面部１５には、徐々に盛り上がって、上蓋５に形成された規制リブ４３（図５、図７など参照）に当接可能とされて上蓋の回転閉鎖位置を認識させるストッパ部２１が複数箇所（この実施の形態では２箇所）に設けられている。
【００１８】
図２〜図４などに示すように、中栓４の離脱部１２は弱化部１１の外周から上方に延びる筒状の中央側面部２２と、中央側面部２２の上端部よりも少し下方部分で中央側面部２２の内周側を閉鎖する頂面封鎖部２３とを有する。また、離脱部１２の中央側面部２２には、径方向外側に突出する状態で上下に延びる離脱部側突条リブ２４が周方向所定角度毎（この実施の形態では周方向６０度毎）に複数形成され、この離脱部側突条リブ２４は、上蓋５の中央筒状部３３の内周に周方向所定角度毎（この実施の形態では周方向６０度毎）に複数形成された上蓋側突条リブ３２（図５、図７参照）に、上蓋５が中栓４に対して周方向に回転された際に係合可能とされている。さらに、中央側面部２２の上端部よりも少し下方部分の外周箇所には内周側に窪む凹状部２５が形成されている。
【００１９】
図１および図５〜図７などに示すように、上蓋５は、略円形状の天板部３６と、この天板部３６の外周縁から垂下する筒状の側面部３７と、天板部３６における外周縁よりも内周側箇所から垂下する蓋円筒部３８と、蓋円筒部３８よりもさらに内周側に形成されて天板部３６から垂下する内筒部３９と、内筒部３９よりもさらに内周側に形成されて天板部３６から垂下する中央筒状部３３などを有する。
【００２０】
蓋円筒部３８の下端は、上蓋５を中栓４に被せた際に中栓４の上面部１５に上方から当接可能とされ、蓋円筒部３８の内周には、中栓４のねじ部２０に螺合するねじ部３１が形成されている。内筒部３９は、上蓋５を中栓４に被せた際に中栓４のノズル部１６に内周側から密接する。
【００２１】
上蓋５の中央筒状部３３には、上述したように、内周に周方向所定角度毎（上述したように、この実施の形態では周方向６０度毎）に回転係合部としての上蓋側突条リブ３２が複数形成されているとともに、上蓋５の中央筒状部３３の上方（中央筒状部３３の基部）に中央筒状基部３４が形成され、さらに中央筒状基部３４には内周側に突出する凸状部３５が形成されている。そして、上蓋５を中栓４に被せると、中栓４の離脱部１２の中央側面部２２に上蓋５の中央筒状部３３が径方向外側から嵌合するとともに、中栓４の離脱部１２に形成された凹状部２５に上蓋５の中央筒状基部３４に形成された凸状部３５が嵌合する。
【００２２】
また、上蓋５における側面部３７の内周には、中栓４に対して上蓋５を閉め終わる際に、中栓４のストッパ部２１に対して当接可能な規制リブ４３が周方向複数箇所（この実施の形態では２箇所）に設けられている。
【００２３】
上蓋５の側面部３７には、径方向外側に突出する（この実施の形態では、平面視して鋸刃形状となるように径方向外側に突出する）外側凸条部４１が周方向に対して複数連続して形成されているとともに、側面部３７の下端部に、外側に鍔状に広がるフランジ部４２が形成されている。また、この実施の形態では、フランジ部４２の上部には、側面部３７から下方ほど徐々に径方向外側（径方向外側）に広がる傾斜面４２ａが形成されている。
【００２４】
図１および図８、図９などに示すように、オーバーキャップ６は、上蓋５に被せられる覆い部５１と、この覆い部５１の上部内側から下方に筒状に延びる中筒部５２と、この中筒部５２からさらに下方に延びて（つまり、中筒部５２を介して覆い部５１から下方に延びて）弾性変形可能な複数の保持用足部５３と、中筒部５２から径方向内側に突出して上蓋５の外側凸条部４１に係合する複数の内側凸条部５４とが形成されている。なお、この実施の形態では、覆い部５１が、平面円板状の天面部５１Ａと、天面部５１の外周縁から下方ほどなだらかに広がるとともに下方に筒状に延びる外周面部５１Ｂとから構成されており、外周面部５１Ｂの直径が上蓋５や中栓４の直径より大きくなっている。
【００２５】
また、この実施の形態では、覆い部５１における天面部５１Ａと外周面部５１Ｂとの接続箇所またはその近傍箇所から中筒部５２が下方に筒状に延びるように設けられている。そして、中筒部５２より下方の領域で、周方向の適当角度毎に長溝切欠部５５Ａと短溝切欠部５５Ｂとが交互に設けられて、これらの長溝切欠部５５Ａと短溝切欠部５５Ｂとの間の部分が保持用足部５３とされている。すなわち、全ての保持用足部５３の下端部の位置は上下方向に対してほぼ同じ位置とされているが、長溝切欠部５５Ａが短溝切欠部５５Ｂよりも上方まで切り込まれている。そして、隣り合う保持用足部５３同士の間に、長溝切欠部５５Ａまたは短溝切欠部５５Ｂが設けられていることで、保持用足部５３は、平面視した状態で径方向に対して弾性変形可能とされている。また、この実施の形態では、中筒部５２における短溝切欠部５５Ｂの上方箇所内面に内側凸条部５４が設けられている。すなわち、短溝切欠部５５Ｂと内側凸条部５４とは平面視した状態で径方向に重なる位置に設けられている。
【００２６】
図１０に拡大して示すように、保持用足部５３の下端部には、径方向内側に突出し、上蓋５に対してオーバーキャップ６が下方に移動された際に外側に変形して上蓋５のフランジ部４２を乗り越え可能で、フランジ部４２を乗り越えると上蓋５のフランジ部４２に下方から係止する内側突出部５６が形成されている。この実施の形態では、内側突出部５６の下部には下方ほど径方向外側に広がる下部傾斜面５６ａが形成され、内側突出部５６の上部には上方ほど径方向外側に広がる上部傾斜面５６ｂが形成されている。また、内側凸条部５４の下端部にも下方ほど径方向外側に広がる（この実施の形態では内側に膨らむ形状で広がっている）下部傾斜面５４ａが形成されている。
【００２７】
次に、上記構成における、キャップ１における中栓４と上蓋５とオーバーキャップ６との組み付け手順などを含む作用を説明する。
まず、キャップ１における中栓４と上蓋５との組み付け手順について説明する。中栓４と上蓋５とを個別に製作した後、離脱部１２が中栓本体１０に設けられている未使用状態において、図１１に示すように、中栓４に対して上蓋５を下方に移動して（すなわち、キャップ１の軸心方向Ｘに沿って互いに組み合わせる方向に移動して）、中栓４に上蓋５を取り付ける。なお、この際には、中栓４の内部に治具（図示省略）を嵌め込み、上蓋５を中栓４の上方から下向きに打栓する（打ち込む）。
【００２８】
これにより、図１２の下方領域において、中栓４と上蓋５とを組み付けた状態を示すように（但し、図１２は、これより後のオーバーキャップ６の組み付け状態を示す）、内筒部３９が中栓４のノズル部１６における上部内側に挿入されるとともに、上蓋５の天板部３６が離脱部１２の上端面に当接する。また、上蓋５のねじ部３１が中栓４のねじ部２０を乗り越えるとともに、離脱部１２が中央筒状部３３内に入り込んで保持され、離脱部１２の先端部に設けられた凹状部２５に上蓋５の中央筒状基部３４に設けられた凸状部３５が嵌め込まれる。また、上蓋側突条リブ３２が離脱部側突条リブ２４間に挿入され、このような状態で、上蓋５が中栓４に取り付けられる。
【００２９】
なお、この際には、図１や図１２の下方領域に示すように、上記したように上蓋５の天板部３６が離脱部１２の上端面に当接するため、上蓋側突条リブ３２が離脱部側突条リブ２４間に過剰に挿入されることはなく、上蓋側突条リブ３２の先端が弱化部１１に当接して破断させてしまうことはない。
【００３０】
次に、図１２に示すように、中栓４が組み付けられている上蓋５に対してオーバーキャップ６を下方に移動して（すなわち、キャップ１の軸心方向Ｘに沿って上蓋５とオーバーキャップ６とを互いに組み合わせる方向に移動して）、上蓋５にオーバーキャップ６を取り付ける。なお、この際には、中栓４の内部に治具（図示省略）を挿入した状態を維持したまま、オーバーキャップ６を上蓋５の上方から下向きに打栓する（打ち込む）。
【００３１】
これにより、図１に示すように、オーバーキャップ６の内側凸条部５４が上蓋５の側面部３７および外側凸条部４１に接触した状態で、上蓋５の側面部３７が、オーバーキャップ６の保持用足部５３および中筒部５２内に嵌り込むとともに、上蓋５の側面部３７に形成された外側凸条部４１間にオーバーキャップ６の内側凸条部５４が挿入される。そして、オーバーキャップ６を上蓋５の上方から下向きにさらに打栓する（打ち込む）と、オーバーキャップ６の保持用足部５３に形成した内側突出部５６が上蓋５のフランジ部４２を乗り越え、フランジ部４２を下方から係止する。これにより、オーバーキャップ６により上蓋５を脱落しない良好な状態で保持できる。なお、この実施の形態では、上蓋５のフランジ部４２に傾斜面４２ａが形成されているとともに、オーバーキャップ６の内側突出部５６に下部傾斜面５６ａ（図１０参照）が形成されているため、オーバーキャップ６の内側突出部５６が上蓋５のフランジ部４２を良好に乗り越えることができる。
【００３２】
そして、この状態で、オーバーキャップ６を軸心周りに回転させる（この実施の形態では、平面視して上蓋５に対してオーバーキャップ６を反時計回りに回転させる）と、オーバーキャップ６の内側凸条部５４が上蓋５の外側凸条部４１に当接して、オーバーキャップ６とともに上蓋５も一体回転され、また、上蓋側突条リブ３２が中栓４の離脱部側突条リブ２４に当接して、上蓋５とともに中栓４の離脱部１２も一体回転される。これにより、中栓４の弱化部１１を切断させて中栓本体１０から離脱部１２を離脱させることができて、中栓４に注出口２６（図１３参照）を形成できる。この際、直径の大きなオーバーキャップ６を回転させるので、開封時に必要な回転力を小さく済ませることができる。すなわち、弱化部１１の切断距離、ひいては注出口２６（図１３参照）の開口面積が比較的大きい場合でも、大きな力を加えなくても切断することができて便利である。
【００３３】
ここで、図８〜図１０などに示すように、保持用足部５３が、オーバーキャップ６の覆い部５１（この実施の形態では、天面部５１Ａと外周面部５１Ｂとの接続部）から、中筒部５２を介して、下方に延びるとともに、周方向適当間隔ごとに切欠部（長溝切欠部５５Ａや短溝切欠部５５Ｂ）が設けられて径方向外側に広がり可能な状態で複数形成されている（特に、この実施の形態では、保持用足部５３が、長溝切欠部５５Ａや短溝切欠部５５Ｂを介して多数設けられている）ので、オーバーキャップ６により上蓋５を脱落しない状態で良好に保持できる。
【００３４】
また、上蓋５の側面部３７に、径方向外側に突出する外側凸条部４１を周方向に対して複数形成し、オーバーキャップ６に、径方向内側に突出して上蓋５に対して周方向に回転されると上蓋５の外側凸条部４１に係合する内側凸条部５４を周方向に対して複数形成しているため、オーバーキャップ６を回転した際に、上蓋５を良好に一体回転できて好適である。
【００３５】
また、本実施の形態では、中筒部５２における切欠部（短溝切欠部５５Ｂ）の上方箇所内面に内側凸条部５４が設けられているので、内側凸条部５４として、上下に比較的長い寸法とすることができて、上蓋５の外側凸条部４１と良好に係合可能となると同時に、保持用足部５３が径方向に変形し難くなることを防止できて、保持用足部５３によりフランジ部４２を良好に乗り越えることができる。
【００３６】
また、本実施の形態では、オーバーキャップ６に上面部分が平坦な底面部５１Ａが設けられているため、当該キャップ１を開けて上蓋５およびオーバーキャップ６を容器２から取り外した際に、オーバーキャップ６を安定してテーブルなどに置くことができる利点もある。
【００３７】
なお、上記実施の形態では、オーバーキャップ６における周方向における保持用足部５３の間に溝形状の切欠部である長溝切欠部５５Ａや短溝切欠部５５Ｂが設けられ、これらの長溝切欠部５５Ａや短溝切欠部５５Ｂを介して、保持用足部５３が多数設けられている場合を述べたが、これに限るものではない。すなわち、図１４、図１５に示すように、周方向における保持用足部５３の間に周方向に対して広幅の切欠部（広幅切欠部５５Ｃ）を介して、保持用足部５３を複数設けてもよい。
【００３８】
また、上蓋５に設けるフランジ部４２として上部に必ずしも傾斜面４２ａを設けなくてもよく、図１４、図１５に示すように、フランジ部４２として、上蓋５の側面部下端から単に径方向外側に広がるように形成してもよい。
【００３９】
また、上記実施の形態では、オーバーキャップ６の覆い部５１から下方に延びる中筒部５２の内面に内側凸条部５４を設けるとともに、中筒部５２からさらに下方に延びるように保持用足部５３を設けている。しかし、この構成に限るものではなく、図１６、図１７に示すように、オーバーキャップ６の覆い部５１から下方に延びる第１中筒部５２Ａと、オーバーキャップ６の覆い部５１における第１中筒部５２Ａが接続されている箇所よりも外周側の箇所から下方に延びる第２中筒部５２Ｂとを設け、第１中筒部５２Ａに内側凸条部５４を設けるとともに、第２中筒部５２Ｂから下方に延びるように保持用足部５３を設けてもよい。なお、この実施の形態では、上蓋５において、外側凸条部４１が設けられている側面部３７の下端部からさらに径方向外側下方に延びる太径側面部３７Ａを設け、この太径側面部３７Ａの下端から、単に径方向外側に広がるフランジ部４２を設けている。
【００４０】
また、上記実施の形態では、オーバーキャップ６の覆い部５１として、上面部分が平坦な天面部５１Ａが設けられている場合を述べたが、これに限るものではなく、図１８に示すように、覆い部５１として、その上面部分が単なる半球形状の球面部５１Ｃと、この球面部５１Ｃになだらかに続く外周面部５１Ｂとからなるものを用いてもよい。また、中筒部５２は平面視円形のものが好ましいが、覆い部５１はその平面形状が角形形状（四角形や六角形など）であってもよい。
【００４１】
また、上記の実施の形態では、上蓋５にオーバーキャップ６を被せて使用する場合を述べたが、例えば、中栓に注出口をする際に、注出口を比較的容易に形成できるものには、オーバーキャップ６を有しないで上述した構成の中栓４と上蓋５とで、キャップを構成することが可能である。
【符号の説明】
【００４２】
１      キャップ
２      容器
３      口部
４      中栓
５      上蓋
６      オーバーキャップ
１０    中栓本体
１１    弱化部
１２    離脱部
１３    外筒部
１４    内筒部
１６    ノズル部
２４    離脱部側突条リブ
２６    注出口
３２    上蓋側突条リブ（回転係合部）
３３    中央筒状部
３６    天板部
３７    側面部
３９    内筒部
４１    外側凸条部
４２    フランジ部
５１    覆い部
５１Ａ  天面部
５１Ｂ  外周面部
５２    中筒部
５２Ａ  第１中筒部
５２Ｂ  第２中筒部
５３    保持用足部
５４    内側凸条部
５５Ａ  長溝切欠部
５５Ｂ  短溝切欠部
５５Ｃ  広幅切欠部
５６    内側突出部
【図１】
2018193088.tif 000003
【図２】
2018193088.tif 000004
【図３】
2018193088.tif 000005
【図４】
2018193088.tif 000006
【図５】
2018193088.tif 000007
【図６】
2018193088.tif 000008
【図７】
2018193088.tif 000009
【図８】
2018193088.tif 000010
【図９】
2018193088.tif 000011
【図１０】
2018193088.tif 000012
【図１１】
2018193088.tif 000013
【図１２】
2018193088.tif 000014
【図１３】
2018193088.tif 000015
【図１４】
2018193088.tif 000016
【図１５】
2018193088.tif 000017
【図１６】
2018193088.tif 000018
【図１７】
2018193088.tif 000019
【図１８】
2018193088.tif 000020